【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
画像処理装置であって、
画像出力装置から、入力画像データと、前記画像出力装置で選択された前記入力画像データのダイナミックレンジに関する補助情報と、を入力する入力手段と、
前記入力画像データを階調特性が異なる表示用画像データに変換するための、所定数の格子点を有するルックアップテーブルを、予め定められた数式と前記補助情報とを用いて、生成する生成手段と、
前記生成手段で生成されたルックアップテーブルを用いて、前記入力画像データを前記表示用画像データに変換し、当該表示用画像データを出力する変換手段と、
を有し、
前記生成手段は、前記入力画像データのダイナミックレンジに応じて、前記ルックアップテーブルの前記所定数の格子点の位置を決定する
ことを特徴とする画像処理装置。
【請求項２】
前記生成手段は、前記入力画像データのダイナミックレンジの最小階調値またはその近傍に下端の格子点が生成され、前記ダイナミックレンジの最大階調値またはその近傍に上端の格子点が生成されるように、前記所定数の格子点を生成する
ことを特徴とする請求項１に記載の画像処理装置。
【請求項３】
前記生成手段は、階調値が低い側で階調値が高い側よりも格子点の密度が高くなるように、前記所定数の格子点を生成する
ことを特徴とする請求項１または２に記載の画像処理装置。
【請求項４】
前記生成手段は、前記所定数の格子点を生成する階調範囲である生成範囲を等分割する前記所定数の格子点を生成する
ことを特徴とする請求項１または２に記載の画像処理装置。
【請求項５】
前記表示用画像データの階調特性における所定の階調値以下の階調範囲が暗部として、前記表示用画像データの階調特性における所定の階調値より高い階調範囲が明部として予め定められており、
前記所定数の格子点は、ｎ個（ｎは２以上の整数）の格子点であり、
前記生成手段は、前記所定数の格子点を生成する階調範囲である生成範囲のうち、前記暗部に対応する階調範囲を等分割するｍ個（ｍは１以上ｎ未満の整数）の格子点を生成し、前記明部に対応する階調範囲を等分割するｎ−ｍ個の格子点を生成する
ことを特徴とする請求項１〜３のいずれか１項に記載の画像処理装置。
【請求項６】
前記所定数の格子点は、前記ダイナミックレンジの内側に生成される
ことを特徴とする請求項１〜５のいずれか１項に記載の画像処理装置。
【請求項７】
前記所定数の格子点は、前記ダイナミックレンジの外側の格子点を含む
ことを特徴とする請求項１〜５のいずれか１項に記載の画像処理装置。
【請求項８】
前記入力手段は、前記画像出力装置とシリアルデジタルインターフェースで接続されることを特徴とする請求項１〜７のいずれか１項に記載の画像処理装置。
【請求項９】
前記画像出力装置から前記補助情報が入力されない場合に、前記入力画像データの階調値に基づいて、前記入力画像データのダイナミックレンジを判断する判断手段をさらに有する
ことを特徴とする請求項１〜８のいずれか１項に記載の画像処理装置。
【請求項１０】
前記任意のダイナミックレンジの最小階調値は予め定められた固定値であり、
前記判断手段は、前記最小階調値から、前記入力画像データの階調値の最大値までの階調範囲を、前記入力画像データのダイナミックレンジとして判断する
ことを特徴とする請求項９に記載の画像処理装置。
【請求項１１】
前記判断手段は、前記入力画像データの階調値の最小値から、前記入力画像データの階調値の最大値までの階調範囲を、前記入力画像データのダイナミックレンジとして判断する
ことを特徴とする請求項９に記載の画像処理装置。
【請求項１２】
画像処理装置の制御方法であって、
画像出力装置から、入力画像データと、前記画像出力装置で選択された前記入力画像データのダイナミックレンジに関する補助情報と、を入力する入力ステップと、
前記入力画像データを階調特性が異なる表示用画像データに変換するための、所定数の格子点を有するルックアップテーブルを、予め定められた数式と前記補助情報とを用いて、生成する生成ステップと、
前記生成ステップで生成されたルックアップテーブルを用いて、前記入力画像データを前記表示用画像データに変換し、当該表示用画像データを出力する変換ステップと、
を有し、
前記生成ステップでは、前記入力画像データのダイナミックレンジに応じて、前記ルックアップテーブルの前記所定数の格子点の位置を決定する
ことを特徴とする画像処理装置の制御方法。
【請求項１３】
前記生成ステップでは、前記入力画像データのダイナミックレンジの最小階調値またはその近傍に下端の格子点が生成され、前記ダイナミックレンジの最大階調値またはその近傍に上端の格子点が生成されるように、前記所定数の格子点を生成する
ことを特徴とする請求項１２に記載の画像処理装置の制御方法。
【請求項１４】
前記生成ステップでは、階調値が低い側で階調値が高い側よりも格子点の密度が高くなるように、前記所定数の格子点を生成する
ことを特徴とする請求項１２または１３に記載の画像処理装置の制御方法。
【請求項１５】
前記生成ステップでは、前記所定数の格子点を生成する階調範囲である生成範囲を等分割する前記所定数の格子点を生成する
ことを特徴とする請求項１２または１３に記載の画像処理装置の制御方法。
【請求項１６】
前記表示用画像データの階調特性における所定の階調値以下の階調範囲が暗部として、前記表示用画像データの階調特性における所定の階調値より高い階調範囲が明部として予め定められており、
前記所定数の格子点は、ｎ個（ｎは２以上の整数）の格子点であり、
前記生成ステップでは、
前記所定数の格子点を生成する階調範囲である生成範囲のうち、前記暗部に対応する階調範囲を等分割するｍ個（ｍは１以上ｎ未満の整数）の格子点を生成し、前記明部に対応する階調範囲を等分割するｎ−ｍ個の格子点を生成する
ことを特徴とする請求項１２〜１４のいずれか１項に記載の画像処理装置の制御方法。
【請求項１７】
前記所定数の格子点は、前記ダイナミックレンジの内側に生成される
ことを特徴とする請求項１２〜１６のいずれか１項に記載の画像処理装置の制御方法。
【請求項１８】
前記所定数の格子点は、前記ダイナミックレンジの外側の格子点を含む
ことを特徴とする請求項１２〜１６のいずれか１項に記載の画像処理装置の制御方法。
【請求項１９】
前記入力ステップでは、前記入力画像データおよび前記補助情報をシリアルデジタルインターフェースを用いて前記画像出力装置から入力する
ことを特徴とする請求項１２〜１８のいずれか１項に記載の画像処理装置の制御方法。
【請求項２０】
前記画像出力装置から前記補助情報が入力されない場合に、前記入力画像データの階調値に基づいて、前記入力画像データのダイナミックレンジを判断する判断ステップをさらに有する
ことを特徴とする請求項１２〜１９のいずれか１項に記載の画像処理装置の制御方法。
【請求項２１】
前記任意のダイナミックレンジの最小階調値は予め定められた固定値であり、
前記判断ステップでは、前記最小階調値から、前記入力画像データの階調値の最大値までの階調範囲を、前記入力画像データのダイナミックレンジとして判断する
ことを特徴とする請求項２０に記載の画像処理装置の制御方法。
【請求項２２】
前記判断ステップでは、前記入力画像データの階調値の最小値から、前記入力画像データの階調値の最大値までの階調範囲を、前記入力画像データのダイナミックレンジとして判断する
ことを特徴とする請求項２０に記載の画像処理装置の制御方法。
【請求項２３】
請求項１２〜２２のいずれか１項に記載の画像処理装置の制御方法の各ステップをコンピュータに実行させることを特徴とするプログラム。
【請求項２４】
前記画像出力装置はカメラである
ことを特徴とする請求項１〜１１のいずれか１項に記載の画像処理装置。
【請求項２５】
前記画像出力装置はカメラである
ことを特徴とする請求項１２〜２２のいずれか１項に記載の画像処理装置の制御方法。
【手続補正２】
【補正対象書類名】明細書
【補正対象項目名】０００８
【補正方法】変更
【補正の内容】
【０００８】
本発明の画像処理装置は、
画像処理装置であって、
画像出力装置から、入力画像データと、前記画像出力装置で選択された前記入力画像データのダイナミックレンジに関する補助情報と、を入力する入力手段と、
前記入力画像データを階調特性が異なる表示用画像データに変換するための、所定数の格子点を有するルックアップテーブルを、予め定められた数式と前記補助情報とを用いて、生成する生成手段と、
前記生成手段で生成されたルックアップテーブルを用いて、前記入力画像データを前記表示用画像データに変換し、当該表示用画像データを出力する変換手段と、
を有し、
前記生成手段は、前記入力画像データのダイナミックレンジに応じて、前記ルックアップテーブルの前記所定数の格子点の位置を決定する
ことを特徴とする。
【手続補正３】
【補正対象書類名】明細書
【補正対象項目名】０００９
【補正方法】変更
【補正の内容】
【０００９】
本発明の画像処理装置の制御方法は、
画像処理装置の制御方法であって、
画像出力装置から、入力画像データと、前記画像出力装置で選択された前記入力画像データのダイナミックレンジに関する補助情報と、を入力する入力ステップと、
前記入力画像データを階調特性が異なる表示用画像データに変換するための、所定数の格子点を有するルックアップテーブルを、予め定められた数式と前記補助情報とを用いて、生成する生成ステップと、
前記生成ステップで生成されたルックアップテーブルを用いて、前記入力画像データを前記表示用画像データに変換し、当該表示用画像データを出力する変換ステップと、
を有し、
前記生成ステップでは、前記入力画像データのダイナミックレンジに応じて、前記ルックアップテーブルの前記所定数の格子点の位置を決定する
ことを特徴とする。
【手続補正４】
【補正対象書類名】明細書
【補正対象項目名】００３０
【補正方法】変更
【補正の内容】
【００３０】
まず、システム制御部１０２は、Ｄレンジ値から、Ｄレンジ値に対応する共通階調データの階調値（ＤレンジＬｏｇ変換値）を判断する。図３（ｂ）に示すように、バッファ補助データ１３６にＤレンジ値１＝１００％が含まれている場合には、ＤレンジＬｏｇ変換値１がＤレンジ値１に対応する共通階調データの階調値であると判断される。バッファ補助データ１３６にＤレンジ値２＝１０００％が含まれている場合には、ＤレンジＬｏｇ変換値２がＤレンジ値２に対応する共通階調データの階調値であると判断される。
Ｄレンジ値より大きい値に対応する入力画像データの階調値は撮像装置から入力されず、共通階調データの上限値は、ＤレンジＬｏｇ変換値に制限されている。そこで、システ
ム制御部１０２は、共通階調データの階調値０からＤレンジＬｏｇ変換値までの階調範囲、即ち入力画像データのダイナミックレンジに対応する共通階調データの階調範囲を、格子点の生成範囲として判断する。共通階調データの階調値０は、撮像データの階調値０に対応する共通階調データの階調値である。
【手続補正５】
【補正対象書類名】明細書
【補正対象項目名】００５１
【補正方法】変更
【補正の内容】
【００５１】
画像特徴量検出部８０１は、入力画像データの画像特徴量を検出する。本実施例では、画像特徴量検出部８０１は、共通階調データ１４１から画像特徴量を検出する。具体的には、フレーム毎に、共通階調データの階調値の最大値が、画像特徴量として検出される。入力画像データのダイナミックレンジが最も広いときの共通階調データの取り得る階調値は、０〜４０９５である。そのため、入力画像データのダイナミックレンジが最も広いときの画像特徴量の取り得る範囲も０〜４０９５である。
画像特徴量検出部８０１は、検出した画像特徴量を表す画像特徴量信号８１１をシステム制御部８０２に出力する。
なお、画像特徴量は、共通階調データの階調値の最大値に限らない。例えば、画像特徴量は、共通階調データの階調値の最小値、または、共通階調データの階調値の最小値と最大値であってもよい。また、画像特徴量は、入力画像データの階調値の最小値、入力画像データの階調値の最大値、または、それらの両方であってもよい。
【手続補正６】
【補正対象書類名】図面
【補正対象項目名】図６
【補正方法】変更
【補正の内容】
【図６】
2014219724.tif 000001
【手続補正７】
【補正対象書類名】図面
【補正対象項目名】図７
【補正方法】変更
【補正の内容】
【図７】
2014219724.tif 000002